(57)【要約】【課題】実際の環境における空間的分布を有する色の見えをチェックするための色見本を作成することにある。【解決手段】記憶媒体（ＲＯＭ２２）は、二次元の閉領域に生成された画像データを色見本として記録した、コンピュータが読み取り可能な記憶媒体であって、画像データの各画素を表す色彩値に係る空間的分布がある数値範囲に収まる疑似乱数分布内にあり、且つ各色彩値に係る空間周波数空間における振幅スペクトラムが空間周波数の逆数に略比例する。【選択図】図８
2016085071.tif 000002
【特許請求の範囲】
【請求項１】
二次元の閉領域に生成された画像データを色見本として記録した、記憶媒体であって、
前記画像データの各画素を表す色彩値に係る空間的分布がある数値範囲に収まる疑似乱数分布内にあり、且つ前記各色彩値に係る空間周波数空間における振幅スペクトラムが空間周波数の逆数に略比例することを特徴とする記憶媒体。
【請求項２】
前記色彩値は、ＣＩＥＬ＊ａ＊ｂ＊の値であることを特徴とする請求項１に記載の記憶媒体。
【請求項３】
前記色彩値のヒストグラムは、夫々異なるガウス分布に略比例することを特徴とする請求項１又は２に記載の記憶媒体。
【請求項４】
前記閉領域の外周に隣接する第２の閉領域を有し、前記第２の閉領域に単色が付加されていることを特徴とする請求項１乃至３の何れか１つに記載の記憶媒体。
【請求項５】
異なる前記閉領域を複数有することを特徴とする請求項１乃至４の何れか１つに記載の記憶媒体。
【請求項６】
前記閉領域、又は／及び前記第２の閉領域は、矩形状、円形状、楕円形状の何れか１つの形状であることを特徴とする請求項５に記載の記憶媒体。
【請求項７】
請求項１乃至６の何れか１つに記載の記憶媒体である情報記憶部と、
表示部と、
前記情報記憶部から取得した複数の色見本の画像データを事例として前記表示部に表示して、必要とする色見本の画像データを選択する事例選択部と、
修整対象となる修整対象画像データを取得する画像取得部と、
前記必要とする色見本の画像データに関連した色彩値の修整内容に従って、前記修整対象画像データを修整する事例適用部と、を備えたことを特徴とする画像処理装置。
【請求項８】
前記事例適用部は、前記修整対象画像データの色彩値を前記色見本の画像データの色彩値を用いて修整する転写型修正手段を有することを特徴とする請求項７に記載の画像処理装置。
【請求項９】
請求項１乃至６の何れか１つに記載の記憶媒体である情報記憶部と、
表示部と、
前記情報記憶部から取得した複数の色見本の画像データを事例として前記表示部に表示して、必要とする色見本の画像データを少なくとも１つ選択する事例選択部と、
修整対象となる修整対象画像データを取得する画像取得部と、
複数の異なる画像処理の少なくとも１つを選択して、前記修整対象画像データに対して画像処理を行う画像処理部と、を備え、
前記事例選択部により選択された少なくとも１つの色見本の画像データを前記表示部に表示し、且つ前記画像処理部による画像処理の結果画像を前記表示部に表示することを特徴とする画像処理装置。
【発明の詳細な説明】
【技術分野】
【０００１】
本発明は、実際の環境における物体の色の見えをチェックするための色見本を作成するのに好適な記憶媒体、及び画像処理装置に関する。
【背景技術】
【０００２】
従来、色見本は、印刷や、物体に対して塗装、着色する際の彩色のための見本、あるいは、彩色後の色再現性のチェックや比較などに用いるものである。
例えば、特許文献１には、単色のパッチから構成されている色見本が開示されている。
実際の環境において、色彩値の空間周波数特性は、高周波になるに従って減衰しており、空間周波数の逆数に略比例することが知られている（例えば、Ｍ．Ａ．Ｗｅｂｓｔｅｒ，Ｊ．Ｓ．Ｗｅｒｎｅｒ，ａｎｄ  Ｄ．Ｊ．Ｆｉｅｌｄ，“Ａｄａｐｔａｔｉｏｎ  ａｎｄ  ｔｈｅ  Ｐｈｅｎｏｍｅｎｏｌｏｇｙ  ｏｆ  Ｐｅｒｃｅｐｔｉｏｎ”，Ｉｎ  Ｆｉｔｔｉｎｇ  ｔｈｅ  Ｍｉｎｄ  ｔｏ  ｔｈｅ  Ｗｏｒｌｄ：Ａｄａｐｔａｔｉｏｎ  ａｎｄ  Ａｆｔｅｒｅｆｆｅｃｔｓ  ｉｎ  Ｈｉｇｈ  Ｌｅｖｅｌ  Ｖｉｓｉｏｎ：Ａｄｖａｎｃｅｓ  ｉｎ  Ｖｉｓｕａｌ  Ｃｏｇｎｉｔｉｏｎ  Ｓｅｒｉｅｓ，Ｖｏｌｕｍｅ  ２，Ｃ．Ｃｌｉｆｆｏｒｄ  ａｎｄ  Ｇ．Ｒｈｏｄｅｓ（Ｅｄｓ．）  Ｏｘｆｏｒｄ  Ｕｎｉｖｅｒｓｉｔｙ  Ｐｒｅｓｓ，２００５．）。
また、光沢感の有無は明るさ成分のヒストグラムの歪との相関が高いことが知られており、このようなヒストグラムはベータ分布において良い近似が得られることも知られている（例えば、Ｍｏｔｏｙｏｓｈｉ，Ｉ．，Ｎｉｓｈｉｄａ，Ｓ．，Ｓｈａｒａｎ，Ｌ．＆Ａｄｅｌｓｏｎ，Ｅ．Ｈ．（２００７）．Ｉｍａｇｅ  ｓｔａｔｉｓｔｉｃｓ  ａｎｄ  ｔｈｅ  ｐｅｒｃｅｐｔｉｏｎ  ｏｆ  ｓｕｒｆａｃｅ  ｑｕａｌｉｔｉｅｓ．Ｎａｔｕｒｅ，４４７，２０６−２０９．など）。
【発明の概要】
【発明が解決しようとする課題】
【０００３】
しかし、実際に彩色された物体は、実際の環境における空間で観察されるため、照明条件（直接照明か間接照明か）、物体の材質や表面の形状（凹凸）、や照明−物体−観察者の三者の位置関係などによって、観察される色は空間的分布を有し、均一ではあり得ない。
また、実際に彩色された物体は、まったく同じ色であっても、色の対比効果として知られる現象があるため、周囲の色との対比によって全く異なった色に見えてしまう。
このように空間的に均一ではない、空間的分布を有する色に対して、単色からなる色見本を用いた場合では見えをチェックすることができないといった問題があった。
本発明は、上記に鑑みてなされたもので、その目的は、実際の環境における空間的分布を有する色の見えをチェックするための色見本を作成することにある。
【課題を解決するための手段】
【０００４】
請求項１記載の発明は、上記課題を解決するため、二次元の閉領域に生成された画像データを色見本として記録した、記憶媒体であって、前記画像データの各画素を表す色彩値に係る空間的分布がある数値範囲に収まる疑似乱数分布内にあり、且つ前記各色彩値に係る空間周波数空間における振幅スペクトラムが空間周波数の逆数に略比例することを特徴とする。
【発明の効果】
【０００５】
本発明によれば、実際の環境における空間的分布を有する色の見えをチェックするための色見本を作成することができる。
【図面の簡単な説明】
【０００６】
【図１】本発明の第１実施形態に係る画像処理システムの構成例を示す図である。
【図２】図１に示す画像処理装置２のハードウェア構成例を示すブロック図である。
【図３】本発明の第１実施形態に係る画像処理装置２の機能構成の一例を示すブロック図である。
【図４】（ａ）及び（ｂ）は図３に示す情報記憶部３４に記憶されている事例情報の一例を示す図である。
【図５】（ａ）〜（ｅ）は、標準型による入力画像の修整処理について例示した図である。
【図６】（ａ）〜（ｃ）は、転写型による入力画像の修整処理について例示した図である
【図７】いくつかの代表的な自然画像の振幅スペクトラムを１次元化して示したグラフ図である。
【図８】図７に示す特徴を併せ持った色見本の一例を示す図である。
【図９】図８に示す画像の振幅スペクトラムを１次元化したグラフ図である。
【図１０】本発明の第１実施形態に係る画像処理装置２の色見本画像生成部４１の動作を示すフローチャートである。
【図１１】色見本画像の形状が円形状であることを示す図である。
【図１２】色見本画像の形状が楕円形状であることを示す図である。
【図１３】図１６に一例を示す色見本の画像部分７０のＬ＊値の度数分布を示すグラフ図である。
【図１４】図１６に一例を示す色見本の画像部分７０のａ＊値の度数分布を示すグラフ図である。
【図１５】図１６に一例を示す色見本の画像部分７０のｂ＊値の度数分布を示すグラフ図である。
【図１６】色見本の画像部分７０の一例を示す図である。
【図１７】図１６に示す色見本の画像部分７０のＬ＊値をグレースケール画像として示した図である。
【図１８】図１６に示す色見本の画像部分７０のａ＊値をグレースケール画像として示した図である。
【図１９】図１６に示す色見本の画像部分７０のｂ＊値をグレースケール画像として示した図である。
【図２０】第２閉領域の内側にＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなる色見本が配置したことを示す図である。
【図２１】第２閉領域の内側にＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなる色見本が配置したことを示す図である。
【図２２】第２閉領域と色見本とが円形状であることを示す図である。
【図２３】前景となる色見本および背景は、ともにＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなることを示す図である。
【図２４】第２閉領域と色見本とが楕円形状であることを示す図である。
【図２５】Ｌ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなる第２閉領域（背景）に対して、同様の特性を有するが色彩値の平均値が各々異なる複数の色見本が配設されることを示す図である。
【発明を実施するための形態】
【０００７】
以下、本発明に係る実施の形態について、図面を参照して説明する。
＜第１実施形態＞
図１は、本発明の第１実施形態に係る画像処理システムの構成例を示す図である。
図１に示すように、画像処理システム１は、例えば、画像処理装置２、サーバ装置３、ネットワーク４を備えている。この画像処理システム１においては、画像処理装置２とサーバ装置３とがネットワーク４を介して互いに接続されている。
【０００８】
画像処理装置２は、色の見えについて、後述する色見本を用いて写真などの修整対象となる入力画像（修整前画像）の修整処理を行うことが可能な、例えば、パーソナルコンピュータ（ＰＣ）やタブレット端末などにより構成されている。
また、この画像処理装置２は、色見本の作成対象である元図となる第一の画像の受け付けや、受け付けた第一の画像から色見本の作成処理などを行うことが可能であって、ハードウェア構成や機能、その処理内容については後述する。
【０００９】
サーバ装置３は、元図としての第一の画像や該第一の画像に基づいて作成された色見本を画像データ（以下、色見本画像という）として記憶するもので、ＰＣやワークステーションなどにより構成されている。また、サーバ装置３は、修整対象となる写真などの入力画像を画像データとして記憶できる。なお、サーバ装置３は、そのハードウェア構成を画像処理装置２のハードウェア構成と同様のものとすることができるため、ここでは説明を省略する。
【００１０】
ネットワーク４は、ＷＡＮ（Wide Area Network）やインターネットなどにより構成されている。
上記した構成の画像処理システム１においては、画像処理装置２が、ネットワーク４を介してサーバ装置３にアクセスし、サーバ装置３に対して各種のデータの転送を要求するとともに、サーバ装置３からデータを取得する。
【００１１】
なお、本実施の形態に係る画像処理システム１としては、元図としての第一の画像や作成された色見本画像などの各種のデータをサーバ装置３に記憶するのではなく、画像処理装置２が備える記憶装置（図示せず）に記憶するようにしてもよい。この場合、画像処理システム１は、画像処理装置２のみで構成することもできる。
また、画像処理システム１は、元図としての第一の画像や該第一の画像に基づいて作成された色見本画像などの各種のデータを、画像処理装置２やサーバ装置３とは別の機器（図示せず）に記憶させるようにしてもよい。その場合、画像処理システム１は、画像処理装置２とその別の機器とを含んだ構成とされる。
また、画像処理システム１は、画像処理装置２やサーバ装置３を２台以上含んで構成されていてもよく、ネットワーク４に接続可能なスキャナやカメラなどの各種の機器をさらに含んだ構成としてもよい。
なお、画像処理装置２およびサーバ装置３とネットワーク４との間は、ケーブルにより接続するようにしてもよいし、無線により接続することも可能である。画像処理装置２およびサーバ装置３とネットワーク４との間を無線により接続する場合は、アクセスポイントと呼ばれる基地局を介して各接続が行われる。
また、画像処理装置２とサーバ装置３とは、ネットワーク４を介さずに、直接、ケーブルにより接続するようにしてもよい。
【００１２】
図２は、図１に示す画像処理装置２のハードウェア構成例を示すブロック図である。
図２に示すように、画像処理装置２は、いわゆるＰＣであって、ＣＰＵ２１、ＲＯＭ２２、ＲＡＭ２３、表示部２４、キーボード２５、および、ネットワーク４を介して外部機器２８との通信を行う通信用インターフェース（ＩＦ）２６を備えている。
画像処理装置２の各部、つまり、ＣＰＵ２１、ＲＯＭ２２、ＲＡＭ２３、表示部２４、キーボード２５、および、ＩＦ２６は、バス２７を介して相互に接続されている。
【００１３】
ＲＯＭ２２は、後述する色見本画像の作成や写真などの入力画像の修整処理に必要な手順などを予め実行可能なプログラムとして記憶するものである。
また、ＲＯＭ２２は、修整処理の内容を特定するために参照される修整時参照情報と、その修整処理の内容にしたがって行った事例を識別するための事例識別情報と、を含む複数の事例情報（図３参照）を記憶する情報記憶部（図３）としても機能する。
なお、情報記憶部としては、ＲＯＭ２２に限らず、例えば、ＣＰＵ２１によって実行されるプログラムや各種のデータを読み取ることが可能なハードディスクなどの記憶媒体を用いる記憶装置により構成するようにしてもよい。
【００１４】
ＲＡＭ２３は、主に、ＣＰＵ２１がプログラムを実行するためのワークエリアとして使用される。
表示部２４は、例えば、液晶やタッチセンサ付きの表示パネルにより構成されている。該表示部２４は、各種の情報やデータなどを表示するとともに、ＲＯＭ２２に記憶された複数の事例情報を、各事例情報に含まれる事例識別情報に基づいて表示する表示部として機能する。
キーボード２５は、例えば、色見本画像の作成時や写真に施された彩色の色再現性などをチェックするチェック者などのユーザにより操作されるもので、各種の指示やパラメータ値などの入力に用いられる。また、このキーボード２５は、写真などの入力画像の修整処理を行う際に、例えば、表示部２４に表示された複数の事例情報のいずれかを選択するための入力を受け付ける事例選択部（図３）としても機能する。
【００１５】
ＣＰＵ２１は、バス２７を介して、ＲＯＭ２２、ＲＡＭ２３、表示部２４、キーボード２５、および、ＩＦ２６を制御するものである。このＣＰＵ２１は、例えば、修整処理を行う際に、サーバ装置３から写真などの入力画像を修整前画像として受け付ける画像取得部（図３）として機能する。
また、ＣＰＵ２１は、後述する手順（図７参照）にしたがって、元図となる第一の画像をもとに、実際の環境下における色の見えから受ける印象を、より近似的に再現するための色見本画像（色見本となる画像データ）を作成する。
また、ＣＰＵ２１は、キーボード２５の選択操作に応じた事例情報に含まれる修整時参照情報により特定される修整処理の内容にしたがって、修整前画像として取得した入力画像の修整処理を行う事例適用部（図３）としても機能する。
【００１６】
なお、画像処理システム１による修整処理は、入力画像を指定された画像処理方法およびパラメータを用いて修整する標準型か、入力画像を目標として参照される参照画像に近似させるように修整する転写型、のいずれか１つの型で行われる。
さらに、ＣＰＵ２１は、転写型であると特定した場合に、表示部２４の画面上に事例画像としての参照画像のみを表示させ、標準型であると特定した場合に、画面上に修整前後の２つの事例画像を表示させる、表示制御部としても機能する。すなわち、表示部２４の画面上に表示された参照画像（事例画像Ｂ）、または、修整前の事例画像Ａと修整後の事例画像Ｂとが、いずれも色見本画像として用いられる。
【００１７】
次に、図３を参照して、本発明の第１実施形態に係る画像処理装置２の機能構成例を示すブロック図について説明する。図３は、本発明の第１実施形態に係る画像処理装置２の機能構成の一例を示すブロック図である。
画像処理装置２は、画像取得部３２、情報記憶部３４、事例選択部３６、事例適用部３８、色見本画像生成部４１を備えている。
画像取得部３２は、外部２８からＩＦ２６を介して入力される画像を受け付け、当該画像をＲＡＭ２３に取得する。
情報記憶部３４は、ＲＯＭ２２から構成されており、修整の内容を特定するために参照される修整時参照情報と、修整の内容に従って修整を行った事例を識別可能な事例識別情報とを含む複数の事例情報を記憶する。
【００１８】
事例選択部３６は、キーボード２５から構成されており、情報記憶部３４に記憶された複数の事例情報を、各事例情報に含まれる事例識別情報に基づいて表示部２４上に配置して表示させ、ユーザから事例情報の選択を受け付ける。
事例選択部３６は、事例識別情報から標準型であるか転写型であるかを特定し、転写型と特定した場合、事例情報として、目標として参照される参照画像のみを表示部２４に表示させ、一方、標準型と特定した場合、事例情報として、修整前後の２つの事例画像を並べて、もしくは交互に表示部２４に表示させる。
【００１９】
事例適用部３８は、事例選択部３６により選択された事例情報に含まれる修整時参照情報により特定された修整の内容に従って、画像取得部３２によりＲＡＭ２３上に取得された画像を修整する。事例適用部３８は、画像処理部４０を備え、画像の修整においては、標準型と転写型の２つの型のいずれか一方の型を用いて実行する。事例適用部３８は、標準型を用いる場合、指定された画像処理部４０の機能およびパラメータを用いて修整する。一方、事例適用部３８は、転写型を用いる場合、目標として参照される画像に向けて修整する。
なお、上述した参照画像、及び修整前後の２つの事例画像は、色見本である。
色見本画像生成部４１は、事例選択部３６により選択された事例情報に含まれる色調情報（Ｌ＊）に基づいて、画像データ（色見本）を生成する。色見本画像生成部４１は、生成された実空間の画像データを色見本として情報記憶部３４に記憶する。
【００２０】
色見本画像生成部４１は、メモリ確保部４２、疑似乱数生成部４４、フーリエ変換部４６、フィルタ部４８、逆フーリエ変換部５０、第２閉領域生成部５２を備えている。
メモリ確保部４２は、色見本のサイズと解像度に応じて決定される画像サイズ分のメモリをＲＡＭ２３上に確保する処理を行う。
疑似乱数生成部４４は、数値範囲として例えば０から１００までの倍精度を有する浮動小数点型の疑似乱数を例えば２０７３６個生成してＲＡＭ２３上に確保したメモリに書き込む処理を行う。この結果、疑似乱数を各画素の画素値とする画像データをＲＡＭ２３上に生成され、この処理により、ランダムな空間構造を得ることができる。
フーリエ変換部４６は、ＲＡＭ２３上に生成された疑似乱数からなる画像データに対して、２次元のフーリエ変換を行う。
【００２１】
フィルタ部４８は、フーリエ変換によって周波数変換された画像データに対して、空間周波数空間において空間周波数の逆数（１／ｆ）に比例するフィルタをかける。
逆フーリエ変換部５０は、このデータに対して逆フーリエ変換を行い、実空間の画像データを生成する。
第２閉領域生成部５２は、閉領域の外周に隣接する第２の閉領域を生成し、画像データに付加する。
色見本画像生成部４１は、生成された実空間の画像データを色見本として情報記憶部３４に記憶する。
【００２２】
図４は、図３に示す情報記憶部３４に記憶されている事例情報の一例を示す図である。
図４（ａ）には、標準型の事例情報が、図４（ｂ）には、転写型の事例情報が、それぞれ一例として示されている。図４（ａ）（ｂ）に示すように、事例情報は、修整の内容を特定するために参照される修整時参照情報と、その修整の内容に従って修整を行った事例を識別可能な事例識別情報とを含む。
【００２３】
本実施の形態においては、事例識別情報の項目として、修整処理の型であるタイプ、事例識別子（事例ＩＤ）、画像ファイル名、色調情報、画像の印象を表す印象表現、特定の領域（第一の領域）を選択する場合の選択領域形状および選択領域情報が示されている。
より具体的には、図４（ａ）は、標準型の場合であるから、タイプは標準型とされ、画像の印象表現として、その画像ファイル名に応じた色見本画像から受ける印象が示されている。また、標準型の場合、色見本画像として２つの事例画像を必要とするため、画像Ａおよび画像Ｂのファイル名と各色調情報とが登録されている。
選択領域形状には矩形状が登録され、選択領域情報には左上頂点（５、５）一辺５０と登録されている。
【００２４】
これに対し、図４（ｂ）は、転写型の場合であるから、タイプは転写型とされ、それ以外は標準型の場合と同様とされている。ただし、転写型の場合は、事例画像として参照画像のみがあればよいことから、対応する項目には、修整後の事例画像である画像Ｂのファイル名とその色調情報とが登録されている。このため、もう１つの画像ファイル名（画像Ａ）およびその色調情報に対応する項目は、情報がないことを示す「ＮＵＬＬ」が示されている。
【００２５】
なお、事例識別情報としては、その事例を他の事例と識別することができる情報であれば、いかなる情報であってもよい。したがって、修整時参照情報も、他の事例と識別することができるならば事例識別情報に含めるようにしてもよい。
例えば、修整時参照情報としては、画像処理オペレータと画像処理パラメータとが示されている。
画像処理オペレータは、画像処理方法を表すもので、内容（オペレータ名）として、標準型（図４（ａ）参照）では「トーンカーブ（Ｌトーンカーブ）」が、転写型（図４（ｂ）参照）では「転写オペレータ」が示されている。
画像処理パラメータは、各画像処理方法で使用されるパラメータで、標準型（図４（ａ）参照）では「トーンカーブ」を作成するのに使用される「制御点情報」が、転写型（図４（ｂ）参照）ではパラメータが存在しないので「ＮＵＬＬ」が示されている。
【００２６】
なお、本実施の形態では、転写型の画像処理パラメータの内容には、図４（ｂ）に示すように、「ＮＵＬＬ」に続いて、かっこ書きで「画像Ｂを参照」と記述され、画像Ｂを参照画像として使用することが示されている。選択領域形状には矩形状が登録され、選択領域情報には左上頂点（５，５）一辺５０と登録されている。
また、本実施の形態では、事例情報がテーブル形式で表現されているが、ＸＭＬ（Extensible Markup Language）などの記述方法によって実現するようにしてもよい。すなわち、図４の事例情報は一例であって、他の記述方法を採用してもよい。
【００２７】
図５および図６は、図３に示す画像処理装置２において行われる修整処理の一例を示す図である。
図５は、標準型による入力画像の修整処理について例示したものである。本修整処理では、図５（ａ）、（ｂ）に示す修整前後の２つの事例画像Ａ、Ｂと、当該事例において適用した画像処理方法であるトーンカーブ（図５（ｃ）参照）と、が使用される。
【００２８】
画像処理装置２は、標準型において、画像を階調補正するための手段であるトーンカーブを用いて、２つの事例画像Ａ、Ｂのうちの修整前の事例画像Ａを、もう１つの修整後の事例画像Ｂとなるように階調補正する。これにより、図５（ｄ）に示す修整前画像である写真などの入力画像は、当該修整処理により、図５（ｅ）に示す修整画像に変換される。
ここで、トーンカーブは、階調変換関数で表すことができ、この関数を使用して入力画像の修整処理が行われる。よって、標準型の修整処理では、例えば、入力画像が背景を含む人物写真の場合、該写真における背景や人物（オブジェクト）の顔の色、洋服の色などが、修整後の事例画像Ｂに近似するように変更される。
【００２９】
図６は、転写型による入力画像の修整処理について例示したものである。本修整処理では、図６（ａ）に示す、目標として参照される参照画像（修整後の事例画像Ｂ）のみが使用される。
【００３０】
画像処理装置２は、転写型において、参照画像に近似するように修整処理を行うので、図６（ｂ）に示す修整前画像である写真などの入力画像が、図６（ａ）に示した参照画像に近似するように修整処理され、図６（ｃ）に示す修整画像に変換される。
ここで、画像処理装置２は、転写型において、色彩転写などの既知の方法を用いて入力画像の修整処理を行う。転写型では、参照画像に向けて修整を行うため、参照画像のみがあればよい。この転写型では、例えば、色彩転写（ｈｔｔｐ：／／ｗｗｗ．ｔｈｅｇｏｏｃｈ．ｏｒｇ／Ｐｕｂｌｉｃａｔｉｏｎｓ／ＰＤＦｓ／ＣｏｌｏｒＴｒａｎｓｆｅｒ．ｐｄｆ）等の既知の方法を用いて修整することができる。これにより、背景を含む人物写真などの入力画像は、該写真における背景や人物（オブジェクト）の顔の色、洋服の色が、参照画像である修整後の事例画像Ｂに近似するように変更される。
【００３１】
このようにして作成した色見本画像を事例画像Ａ、Ｂとして用いることによって、画像処理システム１は、直観的で簡単な使い勝手を備え、より少ない工数で所望の修整結果を得ることができるとともに、修整処理の自由度をも向上させることが可能となる。
なお、入力画像の修整処理に際しては、例えば、表示部２４の画面上に事例識別情報に基づいて表示される２つの事例情報のいずれか１つが、キーボード２５のユーザ操作により選択されることで、標準型か転写型かが決定される。
【００３２】
次に、図１乃至図１０を参照して、本発明の第１実施形態に係る画像処理装置２の動作について説明する。
図７は、いくつかの代表的な自然画像の振幅スペクトラムを１次元化して示したグラフ図である。
図７に示すように、いくつかの代表的な自然画像の振幅スペクトラム（１次元化）では、自然画像において振幅スペクトラムは空間周波数に対する減少関数となっており、さらに詳細に解析すれば振幅スペクトラムが空間周波数の逆数（１／ｆ）に略比例している。自然画像におけるこのような特性は一般的な特性であると考えられている（例えば、Ｆｉｔｔｉｎｇ  ｔｈｅ  Ｍｉｎｄ  ｔｏ  ｔｈｅ  Ｗｏｒｌｄ：Ａｄａｐｔａｔｉｏｎ  ａｎｄ  Ａｆｔｅｒｅｆｆｅｃｔｓ  ｉｎ  Ｈｉｇｈ  Ｌｅｖｅｌ  Ｖｉｓｉｏｎ：Ａｄｖａｎｃｅｓ  ｉｎ  Ｖｉｓｕａｌ  Ｃｏｇｎｉｔｉｏｎ  Ｓｅｒｉｅｓ，Ｖｏｌｕｍｅ  ２，Ｃ．Ｃｌｉｆｆｏｒｄ  ａｎｄ  Ｇ．Ｒｈｏｄｅｓ（Ｅｄｓ．）  Ｏｘｆｏｒｄ  Ｕｎｉｖｅｒｓｉｔｙ  Ｐｒｅｓｓ．参照）。ここで、実際の環境における色の見えを実際に即してチェックするためには、このような自然界の統計的な性質を考慮する必要がある。さらに、特定の空間的構造に依存しないよう一般性を持たせるためには、可能な限りランダムな空間構造を有することが望ましい。
【００３３】
図８は、図７に示す振幅スペクトラム特性を併せ持った色見本画像７０の一例である。この例では、色彩値の平均値が（Ｌ＊、ａ＊、ｂ＊）＝（５０、０、０）であり、明度軸（Ｌ＊）方向のみに沿って色が空間的に変動している。
図９は、図８に示す画像の振幅スペクトラムを１次元化したものであり、空間周波数特性が空間周波数の逆数（１／ｆ）に略比例している。
【００３４】
次に、図３を参照して、本発明の第１実施形態に係る画像処理装置２の機能構成例による動作について説明する。
まず、画像取得部３２は、外部２８から通信用ＩＦ２６を介して入力される画像を受け付け、当該画像をＲＡＭ２３に取得する。
次いで、事例選択部３６は、キーボード２５から構成されており、情報記憶部３４に記憶された複数の事例情報を、各事例情報に含まれる事例識別情報に基づいて表示部２４上に配置して表示させ、ユーザから事例情報の選択を受け付ける。なお、情報記憶部３４には、修整の内容を特定するために参照される修整時参照情報と、修整の内容に従って修整を行った事例を識別可能な事例識別情報とを含む複数の事例情報が記憶されている。
次いで、事例選択部３６は、事例識別情報から標準型であるか転写型であるかを特定する。
転写型と特定した場合、図６に示すように、事例情報として、目標として参照される参照画像（色見本）のみを表示部２４に表示させる。
一方、事例選択部３６は、標準型と特定した場合、図５に示すように、事例情報として、修整前後の２つの事例画像（色見本）を並べて、もしくは交互に表示部２４に表示させる。
【００３５】
次いで、事例適用部３８は、事例選択部３６により選択された事例情報に含まれる修整時参照情報により特定された修整の内容に従って、画像取得部３２によりＲＡＭ２３上に取得された画像を修整する。
事例適用部３８は、画像処理部４０を備え、画像の修整においては、標準型と転写型の２つの型のいずれか一方の型を用いて画像処理を実行する。事例適用部３８は、標準型を用いる場合、指定された画像処理部４０の機能およびパラメータを用いて修整する。一方、事例適用部３８は、転写型を用いる場合、目標として参照される画像に向けて修整する。
なお、上述した参照画像、及び修整前後の２つの事例画像は、色見本である。
このように、情報記憶部３４から取得した複数の色見本の画像データを事例として表示部２４に表示して、必要とする色見本の画像データを事例選択部３６により選択し、画像取得部３２により修整対象となる修整対象画像データを取得し、必要とする色見本の画像データに関連した色彩値の修整内容に従って、事例適用部３８により修整対象画像データを修整することで、実際の環境における物体の色の見え方を近似的に再現する色見本を用いることにより、直観的で簡単な使い勝手をもち、より少ない工数で所望の結果に到達することができるとともに、処理自由度も高めることができる。
【００３６】
また、事例適用部３８は、修整対象画像データの色彩値を色見本の画像データの色彩値を用いて修整する転写型修正手段を有することで、実際の環境における物体の色の見え方を近似的に再現する色見本を用いることにより、直観的で簡単な使い勝手をもち、より少ない工数で所望の結果に到達することができるとともに、処理自由度も高めることができる。
さらに、情報記憶部３４から取得した複数の色見本の画像データを事例として表示部２４に表示して、必要とする色見本の画像データを事例選択部３６により少なくとも１つ選択し、修整対象となる修整対象画像データを画像取得部３２により取得し、複数の異なる画像処理の少なくとも１つを選択して、修整対象画像データに対して画像処理部４０により画像処理を行い、事例選択部３６により選択された少なくとも１つの色見本の画像データを表示部２４に表示し、且つ画像処理部２による画像処理の結果画像を表示部２４に表示することで、実際の環境における物体の色の見え方を近似的に再現する色見本を用いることにより、直観的で簡単な使い勝手をもち、より少ない工数で所望の結果に到達することができるとともに、処理自由度も高めることができる。
【００３７】
次に、図１０を参照して、本発明の第１実施形態に係る画像処理装置２における色見本画像生成部４１の動作について説明する。図１０は本発明の第１実施形態に係る画像処理装置２の色見本画像生成部４１の動作を示すフローチャートである。
画像処理装置２は、図１０に示す各ステップをＣＰＵが実行することにより、事例選択部３６により選択された事例情報に含まれる色調情報（Ｌ＊、ａ＊、ｂ＊）に基づいて、実際の環境における物体の色の見え方を近似的に再現し、実際の環境における色の見えをチェックするための色見本画像データを生成する。
なお、説明を簡便にするために以下の説明および図１０においては、色彩値のうち１要素、例えばＬ＊要素だけの操作の様子を図示するが、実際には、必要に応じてＬ＊、ａ＊、ｂ＊三要素について同様の操作を別々に行なうこととする。
【００３８】
色見本画像生成部４１は、事例選択部３６により選択された事例情報に含まれる色調情報（Ｌ＊）に基づいて、ステップＳ５〜Ｓ３０に示す処理を実行することとする。
まず、メモリ確保部４２では、色見本のサイズと解像度に応じて決定される画像サイズ分のメモリをＲＡＭ２３上に確保する（Ｓ５）。ここで、ＲＡＭ２３上に確保されるメモリサイズは、例えば解像度が７２ｄｐｉで作成したい色見本画像データが５０．８ｍｍ×５０．８ｍｍの矩形状であれば、（（５０．８／２５．４）×７２）×（（５０．８／２５．４）×７２）＝２０７３６画素分のメモリ領域を確保すれば良い。なお、１画素を８バイトの倍精度浮動小数点型で確保する場合には、２０７３６×８＝１６５８８８バイト確保すれば良い。
【００３９】
次に、疑似乱数生成部４４は、Ｌ＊を対象としているので、０から１００までの倍精度浮動小数点型の疑似乱数を２０７３６個生成し、ＲＡＭ２３上に確保したメモリに書き込む（Ｓ１０）。この結果、疑似乱数を各画素の画素値とする画像データをＲＡＭ２３上に生成され、この処理により、ランダムな空間構造を得ることができる。
次いで、フーリエ変換部４６は、ＲＡＭ２３上に生成された疑似乱数からなる画像データに対して、２次元のフーリエ変換を行う（Ｓ１５）。
次いで、フィルタ部４８は、フーリエ変換によって周波数変換された画像データに対して、空間周波数空間にて空間周波数の逆数（１／ｆ）に比例するフィルタをかける（Ｓ２０）。
【００４０】
さらに、逆フーリエ変換部５０は、このデータに対して逆フーリエ変換（Ｓ２５）を行う。これにより、色見本データ内の各位置の明度（Ｌ＊）の空間的な分布がある数値範囲に収まる疑似乱数分布内にあり、かつ色彩値の空間周波数空間における振幅スペクトラムが空間周波数の逆数（１／ｆ）に略比例することを特徴とする図８に示すような色見本画像をＲＡＭ２３上に生成することができる。
次いで、第２閉領域生成部５２は、閉領域の外周に隣接する第２の閉領域を生成し、画像データに付加する。
色見本画像生成部４１は、生成された実空間の画像データを色見本として情報記憶部３４に記憶する。
なお、色見本画像生成部４１は、逆フーリエ変換部５０がＲＡＭ２３上に生成した色見本画像を、第２閉領域生成部５２に処理させずに、情報記憶部３４に記憶してもよい。
【００４１】
本実施形態では、色彩値としてＬ＊ａ＊ｂ＊値を用いて例示したが、他の色彩値、例えばＣＩＥＬ＊ｕ＊ｖ＊などの画像機器に依存しない色彩値や、あるいは、ｓＲＧＢなどの画像機器に依存した色彩値であってもよい。色彩値はＣＩＥＬ＊ａ＊ｂ＊の値であることで、実際の環境における物体の色の見え方を近似的に再現し、実際の環境における色の見えをチェックするための色見本を提供することができる。
また、色見本画像の形状は矩形状でなくてもよく、図１１に示す色見本画像７０ａのように円形状であっても、図１２に示す色見本画像７０ｂのように楕円形状であっても良い。
このように、画像データの各画素を表す色彩値に係る空間的分布がある数値範囲に収まる疑似乱数分布内にあり、且つ各色彩値に係る空間周波数空間における振幅スペクトラムが空間周波数の逆数に略比例することで、実際の環境における物体の色の見え方を近似的に再現し、実際の環境における色の見えをチェックするための色見本を提供することができる。
【００４２】
＜第２実施形態＞
次に、本発明の第２実施形態に係る画像処理装置２について説明する。
第２実施形態では、図３に示す色見本画像生成部４１が、事例選択部３６により選択された事例情報に含まれる色調情報（Ｌ＊）に基づいて、ステップＳ５〜Ｓ３０に示す処理を実行することにより、図１３〜図１９に示す色見本を生成することに特徴点がある。
図１３、図１４、図１５は、図１６に一例を示す本実施形態の色見本画像７０ｃのそれぞれＬ＊、ａ＊、ｂ＊値の度数分布である。
図１３から図１５は、それぞれ横軸がＬ＊、ａ＊、ｂ＊であり、縦軸はそれぞれの値に対する度数を表しており、度数分布はそれぞれガウス分布（正規分布）に略比例している。また、この色見本のＬ＊値、ａ＊値、ｂ＊値の空間周波数特性は、図９に示すグラフ特性と同様の特性を有しており、空間周波数の逆数（１／ｆ）に略比例している。この例では、（Ｌ＊、ａ＊、ｂ＊）＝（６７、１４、１４）を中心にした色見本となる。
このように、色彩値のヒストグラムは、夫々異なるガウス分布に略比例することで、実際の環境における物体の色の見え方を近似的に再現し、実際の環境における色の見えをチェックするための色見本を提供することができる。
図１７、図１８、図１９は、それぞれ図１６に示す色見本画像７０ｃのＬ＊値、ａ＊値、ｂ＊値の各チャンネルをグレースケール画像として示したものである。
このように、閉領域、又は／及び第２の閉領域は、矩形状であることで、実際の環境における物体の色の見え方を近似的に再現し、実際の環境における色の見えをチェックするための色見本を提供することができる。
【００４３】
＜第３実施形態＞
次に、本発明の第３実施形態に係る画像処理装置２について説明する。
第３実施形態では、図３に示す色見本画像生成部４１が、事例選択部３６により選択された事例情報に含まれる色調情報（Ｌ＊）に基づいて、ステップＳ５〜Ｓ３０に示す処理を実行することにより、図２０〜図２２に示す色見本を生成することに特徴点がある。
図２０、図２１は、均一な色からなる背景である第２閉領域７８、８２の内側にＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域７６、８０からなる色見本画像が配置されている。
図２０、図２１に示す前景（内側）７６、８０はまったく同一色彩値を有する色見本画像であり、色見本画像の外周に色見本画像の色とは異なる背景色（例えば、赤色）を有する第２閉領域７８、８２を設けたことのみが異なっている。第２閉領域７８、８２の背景色と前景となる色見本画像７６、８０との対比により、色見本の色の見えが異なって見えることがあるが、このような構成にすることにより、実際に色をチェックする際に、第２閉領域７８、８２の背景色に対する対比効果を考慮して実際に即した状態でチェックすることが可能となる。
【００４４】
図２１に示すように第２閉領域８２と色見本画像８０は矩形状であるが、図２２に示すように第２閉領域９０と色見本画像８８は円形状であってもよい。
このように、閉領域の外周に隣接する第２の閉領域を有し、第２の閉領域に単色が付加されていることで、実際の環境における物体の色の見え方を近似的に再現し、実際の環境における色の見えをチェックするための色見本を提供することができる。
このように、閉領域、又は／及び第２の閉領域は、円形状であることで、実際の環境における物体の色の見え方を近似的に再現し、実際の環境における色の見えをチェックするための色見本を提供することができる。
【００４５】
＜第４実施形態＞
次に、本発明の第４実施形態に係る画像処理装置２について説明する。
第４実施形態では、図３に示す色見本画像生成部４１が、事例選択部３６により選択された事例情報に含まれる色調情報（Ｌ＊）に基づいて、ステップＳ５〜Ｓ３０に示す処理を実行することにより、図２３〜図２４に示す色見本を生成することに特徴点がある。
図２３に示すように、前景となる色見本および背景は、ともにＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなる。このような構成にすることにより、実際に色をチェックする際に、背景にある第２閉領域８６に対する対比効果を考慮して、より実際に即した状態でチェックすることが可能となる。
図２３に示すように、第２閉領域８６と色見本画像８４とは矩形状であるが、図２４に示すように、第２閉領域９４と色見本画像９２とは楕円形状であってもよい。
このように、閉領域、又は／及び第２の閉領域は、楕円形状であることで、実際の環境における物体の色の見え方を近似的に再現し、実際の環境における色の見えをチェックするための色見本を提供することができる。
【００４６】
＜第５実施形態＞
次に、本発明の第５実施形態に係る画像処理装置２について説明する。
第４実施形態では、図３に示す色見本画像生成部４１が、事例選択部３６により選択された事例情報に含まれる色調情報（Ｌ＊）に基づいて、ステップＳ５〜Ｓ３０に示す処理を実行することにより、図２５に示す色見本を生成することに特徴点がある。
図２５はＬ＊値、ａ＊値、ｂ＊値の度数分布がそれぞれ正規分布に略比例しており、かつＬ＊値、ａ＊値、ｂ＊値の空間周波数特性が空間周波数の逆数（１／ｆ）に略比例した領域からなる第２閉領域１１０（背景）に対して、同様の特性を有するが色彩値の平均値が各々異なる複数（図２５では例えば９個）の色見本画像１０１〜１０９が配設される。このような構成にすることにより、実際に色をチェックする際に、第２閉領域１１０（背景）に対する対比効果を考慮して、より実際に即した状態で、複数の色見本を用いて比較しながらチェックすることが可能となる。
このように、異なる閉領域を複数有することで、実際の環境における物体の色の見え方を近似的に再現し、実際の環境における色の見えをチェックするための色見本を提供することができる。
【００４７】
＜本発明の実施態様例の構成、作用、効果＞
＜第１態様＞
本態様のコンピュータが読み取り可能な記憶媒体（ＲＯＭ２２）は、二次元の閉領域に生成された画像データを色見本として記録した、記憶媒体であって、画像データの各画素を表す色彩値に係る空間的分布がある数値範囲に収まる疑似乱数分布内にあり、且つ各色彩値に係る空間周波数空間における振幅スペクトラムが空間周波数の逆数に略比例することを特徴とする。
本態様によれば、画像データの各画素を表す色彩値に係る空間的分布がある数値範囲に収まる疑似乱数分布内にあり、且つ各色彩値に係る空間周波数空間における振幅スペクトラムが空間周波数の逆数に略比例することで、実際の環境における物体の色の見え方を近似的に再現し、実際の環境における色の見えをチェックするための色見本を提供することができる。
【００４８】
＜第２態様＞
本態様の色彩値は、ＣＩＥＬ＊ａ＊ｂ＊の値であることを特徴とする。
本態様によれば、色彩値はＣＩＥＬ＊ａ＊ｂ＊の値であることで、実際の環境における物体の色の見え方を近似的に再現し、実際の環境における色の見えをチェックするための色見本を提供することができる。
【００４９】
＜第３態様＞
本態様の色彩値のヒストグラムは、夫々異なるガウス分布に略比例することを特徴とする。
本態様によれば、色彩値のヒストグラムは、夫々異なるガウス分布に略比例することで、実際の環境における物体の色の見え方を近似的に再現し、実際の環境における色の見えをチェックするための色見本を提供することができる。
【００５０】
＜第４態様＞
本態様においては、閉領域の外周に隣接する第２の閉領域を有し、第２の閉領域に単色が付加されていることを特徴とする。
本態様によれば、閉領域の外周に隣接する第２の閉領域を有し、第２の閉領域に単色が付加されていることで、実際の環境における物体の色の見え方を近似的に再現し、実際の環境における色の見えをチェックするための色見本を提供することができる。
【００５１】
＜第５態様＞
本態様においては、異なる閉領域を複数有することを特徴とする。
本態様によれば、異なる閉領域を複数有することで、実際の環境における物体の色の見え方を近似的に再現し、実際の環境における色の見えをチェックするための色見本を提供することができる。
【００５２】
＜第６態様＞
本態様の閉領域、又は／及び第２の閉領域は、矩形状、円形状、楕円形状の何れか１つの形状であることを特徴とする。
本態様によれば、閉領域、又は／及び第２の閉領域は、矩形状、円形状、楕円形状の何れか１つの形状であることで、実際の環境における物体の色の見え方を近似的に再現し、実際の環境における色の見えをチェックするための色見本を提供することができる。
【００５３】
＜第７態様＞
本態様の画像処理装置２は、第１態様乃至第６態様の何れか１つに記載のコンピュータが読み取り可能な記憶媒体（ＲＯＭ２２）である情報記憶部３４と、表示部２４と、情報記憶部３４から取得した複数の色見本の画像データを事例として表示部２４に表示して、必要とする色見本の画像データを選択する事例選択部３６と、修整対象となる修整対象画像データを取得する画像取得部３２と、必要とする色見本の画像データに関連した色彩値の修整内容に従って、修整対象画像データを修整する事例適用部３８と、を備えたことを特徴とする。
本態様によれば、情報記憶部３４から取得した複数の色見本の画像データを事例として表示部２４に表示して、必要とする色見本の画像データを事例選択部３６により選択し、画像取得部３２により修整対象となる修整対象画像データを取得し、必要とする色見本の画像データに関連した色彩値の修整内容に従って、事例適用部３８により修整対象画像データを修整することで、実際の環境における物体の色の見え方を近似的に再現する色見本を用いることにより、直観的で簡単な使い勝手をもち、より少ない工数で所望の結果に到達することができるとともに、処理自由度も高めることができる。
【００５４】
＜第８態様＞
本態様の事例適用部３８は、修整対象画像データの色彩値を色見本の画像データの色彩値を用いて修整する転写型修正手段を有することを特徴とする。
本態様によれば、事例適用部３８は、修整対象画像データの色彩値を色見本の画像データの色彩値を用いて修整する転写型修正手段を有することで、実際の環境における物体の色の見え方を近似的に再現する色見本を用いることにより、直観的で簡単な使い勝手をもち、より少ない工数で所望の結果に到達することができるとともに、処理自由度も高めることができる。
【００５５】
＜第９態様＞
本態様の画像処理装置２は、第１態様乃至第６態様の何れか１つに記載の記憶媒体（ＲＯＭ２２）である情報記憶部３４と、表示部２４と、情報記憶部３４から取得した複数の色見本の画像データを事例として表示部２４に表示して、必要とする色見本の画像データを少なくとも１つ選択する事例選択部３６と、修整対象となる修整対象画像データを取得する画像取得部３２と、複数の異なる画像処理の少なくとも１つを選択して、修整対象画像データに対して画像処理を行う画像処理部４０と、を備え、事例選択部３６により選択された少なくとも１つの色見本の画像データを表示部２４に表示し、且つ画像処理部２による画像処理の結果画像を表示部２４に表示することを特徴とする。
本態様によれば、情報記憶部３４から取得した複数の色見本の画像データを事例として表示部２４に表示して、必要とする色見本の画像データを事例選択部３６により少なくとも１つ選択し、修整対象となる修整対象画像データを画像取得部３２により取得し、複数の異なる画像処理の少なくとも１つを選択して、修整対象画像データに対して画像処理部４０により画像処理を行い、事例選択部３６により選択された少なくとも１つの色見本の画像データを表示部２４に表示し、且つ画像処理部２による画像処理の結果画像を表示部２４に表示することで、実際の環境における物体の色の見え方を近似的に再現する色見本を用いることにより、直観的で簡単な使い勝手をもち、より少ない工数で所望の結果に到達することができるとともに、処理自由度も高めることができる。
【符号の説明】
【００５６】
１…画像処理システム、２…画像処理装置、３…サーバ装置、４…ネットワーク、２１…ＣＰＵ、２３…ＲＡＭ、２４…表示部、２５…キーボード、２８…外部機器、２６…ＩＦ、２７…バス、２２…ＲＯＭ、３２…画像取得部、３４…情報記憶部、３６…事例選択部、３８…事例適用部、４１…色見本画像生成部、２８…外部、４０…画像処理部、４２…メモリ確保部、４４…疑似乱数生成部、４６…フーリエ変換部、４８…フィルタ部、５０…逆フーリエ変換部、５２…第２閉領域生成部
【先行技術文献】
【特許文献】
【００５７】
【特許文献１】特開２００１−７４５５６公報
【図１】
2016085071.tif 000003
【図２】
2016085071.tif 000004
【図３】
2016085071.tif 000005
【図４】
2016085071.tif 000006
【図５】
2016085071.tif 000007
【図６】
2016085071.tif 000008
【図７】
2016085071.tif 000009
【図８】
2016085071.tif 000010
【図９】
2016085071.tif 000011
【図１０】
2016085071.tif 000012
【図１１】
2016085071.tif 000013
【図１２】
2016085071.tif 000014
【図１３】
2016085071.tif 000015
【図１４】
2016085071.tif 000016
【図１５】
2016085071.tif 000017
【図１６】
2016085071.tif 000018
【図１７】
2016085071.tif 000019
【図１８】
2016085071.tif 000020
【図１９】
2016085071.tif 000021
【図２０】
2016085071.tif 000022
【図２１】
2016085071.tif 000023
【図２２】
2016085071.tif 000024
【図２３】
2016085071.tif 000025
【図２４】
2016085071.tif 000026
【図２５】
2016085071.tif 000027